(57)【要約】      （修正有）【課題】非接触ＩＣを用いたサービスの利用時にユーザの利便性を損なうことがなく、非接触ＩＣへの不正なアクセスを防止した非接触ＩＣを内蔵した携帯端末これに装着する外装カバーを提供する。【解決手段】携帯端末１に装着される外装カバー２であって、携帯端末１に装着した際にそれと対向する側に電磁波を遮断するシールド材を備え、携帯端末１へ装着後にその表面のループアンテナが形成された領域を露出させるように摺動可能である。【選択図】図１
2008171921.tif 000002
【特許請求の範囲】
【請求項１】
携帯端末に装着される外装カバーであって、
前記携帯端末に装着した際に該携帯端末と対向する側に電磁波を遮断するシールド材を備え、前記携帯端末へ装着後に該携帯端末の表面の所定の領域を露出させるように摺動可能であることを特徴とする外装カバー。
【請求項２】
前記シールド材が、フィルム状の金属シートを溶着又は接着することによって形成されたことを特徴とする請求項１記載の外装カバー。
【請求項３】
前記シールド材は、蒸着法又はめっき法によって形成された金属膜であることを特徴とする請求項１記載の外装カバー。
【請求項４】
前記携帯端末に対して着脱可能であることを特徴とする請求項１から３のいずれか１項記載の外装カバー。
【請求項５】
非接触ＩＣを内蔵した携帯端末であって、
前記非接触ＩＣに接続されたループアンテナが形成された領域を覆うように、請求項１から４のいずれか１項記載の外装カバーが装着されることを特徴とする携帯端末。
【請求項６】
携帯端末に装着される外装カバーであって、
前記携帯端末の筐体の表面の所定の部分を覆う土台部と、該土台部の上を摺動可能なスライド部材とを有し、
前記スライド部材は、前記土台部と対向する側に電磁波を遮断するシールド材が配置されていることを特徴とする外装カバー。
【請求項７】
前記シールド材が、フィルム状の金属シートを溶着又は接着することによって形成されたことを特徴とする請求項６記載の外装カバー。
【請求項８】
前記シールド材は、蒸着法又はめっき法によって形成された金属膜であることを特徴とする請求項６記載の外装カバー。
【請求項９】
前記携帯端末に対して着脱可能であることを特徴とする請求項６から８のいずれか１項記載の外装カバー。
【請求項１０】
非接触ＩＣを内蔵した携帯端末であって、
前記非接触ＩＣに接続されたループアンテナが形成された領域に前記土台部が被さるようように、請求項６から９のいずれか１項記載の外装カバーが装着され、
前記ループアンテナは、その直上に位置するように摺動可能な前記スライド部材によって覆い隠すことが可能であることを特徴とする携帯端末。
【発明の詳細な説明】
【技術分野】
【０００１】
本発明は非接触ＩＣを内蔵した携帯端末に関し、特に、非接触ＩＣとの不正な通信を防止した携帯端末及びこれに装着される外装カバーに関する。
【背景技術】
【０００２】
近年、非接触ＩＣを用いて店頭で決済を行ったり交通機関の自動改札で料金を支払ったりできるサービスが開始されている。
【０００３】
このサービスに対応するために、携帯端末の中には非接触ＩＣを内蔵した機種も登場している。
【０００４】
非接触ＩＣによる通信は、ＩＣが内蔵されたカードや携帯端末をリーダやライタに近づけるだけで行える。このため、ユーザにとって利便性が高い反面、ユーザに全く気づかれることなく不正にＩＣ内の情報を読み出されたり、書き込まれたりしてしまう恐れがある。
【０００５】
非接触ＩＣカードの場合には、カードそのものを直接衣服のポケットなどに入れることはほとんどなく、鞄の中央部などにしまって携行することがほとんどである。このため、ユーザに気づかれることなくＩＣ内の情報を読み取り又はＩＣへの情報の書き込みが可能な距離までリーダやライタを近づけることは困難である。
【０００６】
しかし、非接触ＩＣを内蔵した携帯端末の場合、携帯端末としての機能を利用しやすいように、一般的には容易に取り出せる場所（上着のポケット、鞄の外ポケットなど）に保持して携行される。このため、不正に情報を読み取ろうとする者にとって、ユーザに気づかれることなくＩＣ内に情報を読み書き可能な距離までリーダやライタを近づけることが容易である可能性が高くなる。
【０００７】
このため、非接触ＩＣを内蔵した携帯端末には、非接触ＩＣへの不正なアクセスを防止するための対策を講じる必要が生じている。
【０００８】
特許文献１には、薄肉の電磁波シールド成形体を嵌めることによって電磁波の漏洩を防止した携帯電話器用ケースが開示されている。また、特許文献２には、携帯電話端末に導電層を備えたカバーを装着することにより、携帯電話から発せられる電磁波を遮蔽、吸収する技術が開示されている。このような電磁波シールド成型体やカバーを非接触ＩＣを覆うように取り付ければ、非接触ＩＣへの不正なアクセスを防止することは可能である。
【特許文献１】特開平１１−２６１２７１号公報
【特許文献２】実用新案登録第３０８６３２４号公報
【発明の開示】
【発明が解決しようとする課題】
【０００９】
しかし、特許文献１に開示されるような電磁波シールド成型体を筐体に装着してしまうと、不正な読み書きだけでなく、正規の読み書きをも行えなくなってしまう。また、
特許文献２に開示される発明のように、電磁波シールド材をカバーに設けたとしても、非接触ＩＣを用いたサービスを利用するたびにカバーを着脱しなければならなくなり、ユーザの利便性を損なう原因となる。
【００１０】
本発明はかかる問題に鑑みてなされたものであり、非接触ＩＣを用いたサービスの利用時にユーザの利便性を損なうことがなく、非接触ＩＣへの不正なアクセスを防止した非接触ＩＣを内蔵した携帯端末及びこれに装着する外装カバーを提供することを目的とする。
【課題を解決するための手段】
【００１１】
上記目的を達成するため、本発明は、第１の態様として、携帯端末に装着される外装カバーであって、携帯端末に装着した際に該携帯端末と対向する側に電磁波を遮断するシールド材を備え、携帯端末へ装着後に該携帯端末の表面の所定の領域を露出させるように摺動可能であることを特徴とする外装カバーを提供するものである。
【００１２】
本発明の第１の態様においては、シールド材が、フィルム状の金属シートを溶着又は接着することによって形成されること、又は、シールド材は、蒸着法又はめっき法によって形成された金属膜であることが好ましい。
【００１３】
本発明の第１の態様の上記の何れの構成においても、携帯端末に対して着脱可能であることが好ましい。
【００１４】
また、上記目的を達成するため、本発明は、第２の態様として、非接触ＩＣを内蔵した携帯端末であって、非接触ＩＣに接続されたループアンテナが形成された領域を覆うように、本発明の第１の態様のいずれかの構成にかかる外装カバーが装着されることを特徴とする携帯端末を提供するものである。
【００１５】
また、上記目的を達成するため、本発明は、第３の態様として、携帯端末に装着される外装カバーであって、携帯端末の筐体の表面の所定の部分を覆う土台部と、該土台部の上を摺動可能なスライド部材とを有し、スライド部材は、土台部と対向する側に電磁波を遮断するシールド材が配置されていることを特徴とする外装カバーを提供するものである。
【００１６】
本発明の第３の態様においては、シールド材が、フィルム状の金属シートを溶着又は接着することによって形成されること、又は、シールド材は、蒸着法又はめっき法によって形成された金属膜であることが好ましい。
【００１７】
本発明の第３の態様の上記の何れの構成においても、携帯端末に対して着脱可能であることが好ましい。
【００１８】
また、上記目的を達成するため、本発明は、第４の態様として、非接触ＩＣを内蔵した携帯端末であって、非接触ＩＣに接続されたループアンテナが形成された領域に土台部が被さるようように、本発明の第３の態様のいずれかの構成にかかる外装カバーが装着され、ループアンテナは、その直上に位置するように摺動可能なスライド部材によって覆い隠すことが可能であることを特徴とする携帯端末を提供するものである。
【発明の効果】
【００１９】
本発明によれば、非接触ＩＣを用いたサービスの利用時にユーザの利便性を損なうことがなく、非接触ＩＣへの不正なアクセスを防止した非接触ＩＣを内蔵した携帯端末これに装着する外装カバーを提供できる。
【発明を実施するための最良の形態】
【００２０】
〔第１の実施形態〕
本発明を好適に実施した第１の実施形態について説明する。
図１に、本実施形態にかかる携帯端末の構成を示す。非接触ＩＣを内蔵した携帯端末１には、外装カバー２が装着されている。外装カバー２は携帯端末１に装着したままの状態でスライド可能となっている。外装カバー２をスライド可能とする構造は特定の構造に限定されることはなく、携帯端末１に設けたキー溝に沿ってスライドさせるなどの公知構造を適用可能である。外装カバー２を携帯端末１に装着することにより、携帯端末１の本体へ傷が付くことを防止できる。また、外装カバー２を携帯端末１に対して着脱可能な構造とすることにより、ユーザの好みに応じて携帯端末１の外観を変えることが可能となる。携帯端末１は、携帯電話端末などの公知のあらゆる端末が適用可能である。
【００２１】
図２に示すように、外装カバー２の携帯端末１側の面（裏面）には、電磁シールド性又は磁気シールド性を備えたシールド材３が設けられている。シールド材３は、フィルム状の金属シートを溶着又は接着によって外装カバー２に固定したものである。なお、外装カバー２の裏面に金属を蒸着したりめっきするなどしてシールド材３を形成してもよい。
【００２２】
図３（ａ）に示すように、外装カバー２を携帯端末１に完全に被せた状態では、非接触ＩＣに接続されたループアンテナ４は外装カバー２によって隠蔽されており、リーダを近づけてもループアンテナ４が共振しないため、非接触ＩＣに電力が供給されない。よって、この状態リーダを近づけても非接触ＩＣのデータを読み出すことはできない。
【００２３】
図３（ｂ）に示すように、外装カバー２をスライドさせ、ループアンテナ４が内蔵された領域を露出させることにより、リーダを近づけた際にループアンテナ４が共振して非接触ＩＣに電力が供給されるようになる。よって、この状態ではリーダやライタに近づけることによって非接触ＩＣのデータを読み出したり、非接触ＩＣにデータを書き込んだりできる。
【００２４】
本実施形態にかかる携帯端末は、通常時（電話・メール機能使用時や持ち運び時）はループアンテナ４が内蔵された領域を外装カバー２で隠蔽しておき、非接触ＩＣを用いたサービスを利用する際のみ外装カバー２をスライドさせてループアンテナ４が内蔵された領域を露出させることができる。
このため、ユーザが意図しない時に非接触ＩＣ内のデータを不正に読み出されたりｌ書き込まれたりする恐れがない。
【００２５】
〔第２の実施形態〕
本発明を好適に実施した第２の実施形態について説明する。
本実施形態にかかる携帯端末１は、第１の実施形態と同様に非接触ＩＣを内蔵しており、外装カバー２が装着される。ただし、図４（ａ）に示すように本実施形態においては、外装カバー２は二重構造となっており、スライド部材２ａは外装カバー２ａを装着したままの状態で摺動可能となっている。スライド部材２ａをスライド可能とする構造は特定の構造に限定されることはなく、外装カバー２に設けたキー溝に沿ってスライドさせるなどの公知構造を適用可能である。スライド部材２ａの裏面（携帯端末１側の面）にはシールド材３が設けられている。シールド材３は第１の実施形態と同様に、フィルム状の金属シートを溶着又は接着したり、蒸着やめっきによって金属膜を形成することによって設置可能である。
【００２６】
図４（ｂ）に示すように、スライド部材２ａをヒンジ側に寄せた状態では、ループアンテナ４の上にスライド部材２ａが位置しており、リーダを近づけてもループアンテナ４が共振しないため、非接触ＩＣに電力が供給されない。よって、この状態リーダやライタに近づけても非接触ＩＣのデータを読み出したり、データを書き込んだりすることはできない。
【００２７】
図４（ｃ）に示すように、スライド部材２ａをヒンジから遠ざけた状態では、リーダを近づけた際にループアンテナ４が共振して非接触ＩＣに電力が供給されるようになる。よって、この状態ではリーダやライタに近づけることによって非接触ＩＣのデータを読み出したり、データを書き込んだりできる。
【００２８】
本実施形態にかかる携帯端末は、通常時（電話・メール機能使用時や持ち運び時）はループアンテナ４が内蔵された領域をスライド部材２ａで隠蔽しておき、非接触ＩＣを用いたサービスを利用する際のみスライド部材２ａをスライドさせてループアンテナ４が内蔵された領域を露出させることができる。このため、ユーザが意図しない時に非接触ＩＣ内のデータを不正に読み出されたり、データを書き込まれたりする恐れがない。しかも、非接触ＩＣを用いたサービスを利用する際に、外装カバー２を携帯端末１から突出させる必要がないため、外装カバー２を誤って破損したり、脱落してしまったりする恐れがない。
【００２９】
なお、上記各実施形態は本発明を好適な実施の一例であり、本発明はこれに限定されることはなく様々な変形が可能である。
【図面の簡単な説明】
【００３０】
【図１】本発明を好適に実施した第１の実施形態にかかる携帯端末の外観を示す図である。
【図２】第１の実施形態にかかる携帯端末に装着される外装カバーの外観を示す図である。
【図３】第１の実施形態にかかる携帯端末の使用方法を説明するための図である。
【図４】本発明を好適に実施した第２の実施形態にかかる携帯端末の使用方法を説明するための図である。
【符号の説明】
【００３１】
１    携帯端末
２    外装カバー
２ａ    スライド部材
３    シールド材
４    ループアンテナ
【図１】
2008171921.tif 000003
【図２】
2008171921.tif 000004
【図３】
2008171921.tif 000005
【図４】
2008171921.tif 000006